(57)【要約】【課題】挿入デバイス及びカテーテル・デバイスを含むカテーテル・システムを提供する。【解決手段】挿入デバイスは、ハウジングと、ラッチと、患者に挿入される針と、ばねとを含む。カテーテル・デバイスは、チャンバを備えるハウジングと、前記チャンバ内に配設されるシールとを含む。シールは、針がシールから引き抜かれると再封止して、血液がチャンバ内に閉じ込められるように構成される。ラッチがカテーテル・デバイスから切り離れると、ばねが弛緩しそれにより針を挿入デバイスのハウジング内に完全に引き込む。【選択図】図２
2019048122.tif 000002
【特許請求の範囲】
【請求項１】
ハウジングと、
前記ハウジングをカテーテル・デバイスに弾性的に連結するためのラッチと、
患者に挿入される針と、
前記ラッチが前記カテーテル・デバイスから弾性的に切り離されると、弛緩しそれにより前記針を前記ハウジング内に完全に引き込むばねとを備える、カテーテル挿入デバイス。
【発明の詳細な説明】
【技術分野】
【０００１】
（背景技術）
一般的に、血液の漏れも防ぎながらカテーテルを延長デバイスに連結するのは困難なことがある。
【図面の簡単な説明】
【０００２】
【図１】ある状態のカテーテル・システムの一実施例を示す図である。
【図２】ある状態のカテーテル・システムの一実施例を示す図である。
【図３】ある状態のカテーテル・システムの一実施例を示す図である。
【図４】ある状態のカテーテル・システムの一実施例を示す図である。
【図５】ある状態のカテーテル・システムの一実施例を示す図である。
【図６Ａ】ある状態のカテーテル・システムの一実施例を示す図である。
【図６Ｂ】ある状態のカテーテル・システムの一実施例を示す図である。
【発明を実施するための形態】
【０００３】
本明細書において参照する図面は、具体的に言及される場合を除いて、縮尺通りに描かれていないものと理解すべきである。
【０００４】
以下、添付図面に実例が例示される、本発明の技術の実施例について詳細に参照する。技術については様々な実施例と併せて記載するが、本発明の技術をこれらの実施例に限定しようとするものではないことが理解されるであろう。反対に、本発明の技術は、添付の特許請求の範囲によって定義される様々な実施例の趣旨及び範囲に含むことができる、代替物、修正、及び均等物を包含するものとする。
【０００５】
更に、実施例の以下の記載では、本発明の技術についての完全な理解を提供するために、多数の具体的な詳細が説明される。しかし、本発明の技術はこれらの具体的な詳細なしに実施することができる。他の例では、周知の方法、手順、及び構成要素は、本発明の実施例の態様を無用に不明瞭にしないように、詳細には記載されていない。
【０００６】
図１は、挿入前状態のカテーテル・システム１００（又はカテーテル・アセンブリ）の一実施例を示す。図２は、挿入前状態のカテーテル・システム１００の断面図を示す。挿入前状態とは、カテーテルを患者に挿入する前のカテーテル・システム１００の状態である。
【０００７】
カテーテル・システム１００は、カテーテル・デバイス１３０に連結されたカテーテル挿入デバイス１１０を含む。カテーテル挿入デバイス１１０は、ラッチ１３４を介してカテーテル・デバイス１３０に弾性的に連結される。一実施例では、ラッチ１３４は、カテーテル・デバイス１３０のハウジング１３２上にある任意の物理的機構（例えば、突出部、インデント等）と柔軟且つ弾性的に係合する（例えば、スナップ嵌めされる）ばねラッチである。カテーテル挿入デバイス１１０は、ねじ込みカップリングを要することなく、カテーテル・デバイス１３０に連結されることが認識されるべきである。
【０００８】
対照的に、従来のカテーテル・システムでは、カテーテル・デバイスはねじを介して挿入デバイスに連結される。そのため、挿入デバイスをカテーテル・デバイスに連結する／そこから切り離すには、挿入デバイスを回転させなければならない。
【０００９】
一実施例では、ラッチ１３４は、カテーテル・デバイス１３０の内部機構に弾性的に連結される。別の実施例では、ラッチ１３４は、カテーテル・デバイス１３０に弾性的に連結されたとき、カテーテル・デバイス１３０に対して回転可能である。
【００１０】
針１５０は、針コレット（ｎｅｅｄｌｅ  ｃｏｌｌｅｔ）１２０によって保持される。針１５０の端部は、観察チャンバ（ｖｉｅｗｉｎｇ  ｃｈａｍｂｅｒ）１２２内に配設される。挿入前状態のとき、針１５０は、カテーテル・デバイス１３０を通ってその外まで延在し、また、カテーテル１４０内に配設される。
【００１１】
更に、挿入前状態では、ばね１１４は圧縮され、針コレット１２０に当接する。
【００１２】
挿入中、針１５０及びカテーテル１４０が患者の静脈に挿入される。適切に挿入されると、血液が針１５０内を観察チャンバ１２２まで移動する。特に、カテーテル挿入デバイス１１０がカテーテル・デバイス１３０に連結されていると、血液はカテーテル・デバイス１３０のいずれの内表面（例えば、チャンバ１３３）とも接触しない。
【００１３】
血液が観察チャンバ１２２内に供給されると、ハウジング１１２及び針コレット１２０を通して血液を観察して、針１５０及びカテーテル１４０が静脈に適切に挿入されていることを視覚的に示すことができる。そのため、ハウジング１１２及び針コレット１２０は両方とも、半透明又は透明である。
【００１４】
血液は、フィルタ１２４によって観察チャンバ内に閉じ込められる。一実施例では、フィルタ１２４は疎水性フィルタである。特に、血液が観察チャンバ１２２に入ると、空気がフィルタ１２４を通り抜け、通気孔１２６から周囲に出る。しかし、血液はフィルタ１２４を通り抜けることができない。
【００１５】
針１５０を静脈から引き抜くために、カテーテル挿入デバイス１１０がカテーテル・デバイス１３０から引き抜かれる。しかし、ラッチ１３４はまだカテーテル・デバイス１３０と接触したままであり、ハウジング１３２上の機構を介してカテーテル・デバイス１３０に連結されている。引抜きの間、針１５０もまた、（静脈内に残っている）カテーテル１４０を通して引き抜かれる。
【００１６】
一旦ラッチ１３４がカテーテル・デバイス１３０から完全に切り離されると（例えば、ラッチ１３４がハウジング１３２上にある保定機構と係合していない）、ばね１１４は解放されてその弛緩状態となる。その際に、ばね１１４は針コレット１２０を付勢し、それによって針コレット１２０がチャンバ１１６内において軸線方向で摺動する。その結果、針１５０は、カテーテル・デバイス１３０を通って完全に引き抜かれ、図３に示されるように、完全にハウジング１１２内に配設される。換言すれば、ラッチ１３４がハウジング１３２から切り離されると、針１５０は、静脈からカテーテル・デバイス１３０を通って自動的に引き抜かれる。カテーテル・デバイス１３０に対する連結が外されると、カテーテル挿入デバイス１１０は適切に廃棄されてもよい。
【００１７】
一旦針１５０がシール１３６を通って引き抜かれると、シール１３６は再封止する。そのため、カテーテル１４０を介してチャンバ１３３に入る血液は、血液の損失を防ぐためにチャンバ１３３内で閉じ込められる。したがって、血液がチャンバ１３３内でしっかり閉じ込められるので、カテーテル・デバイス１３０は閉システムでもある。一実施例では、シール１３６はシリコーン・ディスクである。別の実施例では、デバイス（例えば、針１５０）の挿入／引抜きを容易にするため、シール１３６は予めスリットが入れられている。
【００１８】
図４は、カテーテル・デバイス１３０に連結された延長セット１８０の一実施例を示す。図５は、カテーテル・デバイス１３０に連結された延長セット１８０の断面図を示す。
【００１９】
延長セット１８０をカテーテル・デバイス１３０に連結するために、ユーザは基部１８２を把持し、連結機構１９０及び１９１（例えば、尖枝（ｔｉｎｅｓ））がハウジング１３２の関連する連結機構と機械的に連結する（例えば、スナップ嵌めされる）まで、カニューレ１８８をシール１３６に挿入する。連結は、ユーザの片手を使用してもたらされてもよい。
【００２０】
対照的に、従来のシステムでは、延長セットは、ねじを介してカテーテルに回転可能に連結される。更に、ユーザは、カテーテルを延長セットに連結するのに両手を使用しなければならない。例えば、ユーザは、カテーテルをしっかりと保持し、他方の手を使用して延長セットを握り、カテーテルに対して回転させなければならない。
【００２１】
適切に連結されると、血液がチューブ１８６を通って、ルアー・アクセス・デバイス１８４に流れることができる。任意の互換性がある使い捨てセット又は延長セットが、カテーテル・デバイス１３０に連結されてもよいことが認識されるべきである。
【００２２】
図６Ａ〜Ｂは、カテーテル・デバイス６３０の一実施例を示す。カテーテル・デバイス６３０は、第２の区画６３４に接合された第１の区画６３２を含む。接合は、超音波溶接、接着、スナップ嵌め等であることができるが、それらに限定されない。シール１３６は、接合前に第１の区画６３２と第２の区画６３４との間に配置され、接合部６３８で区画が接合されると、第１の区画６３２と第２の区画６３４との間にしっかりと収まる。
【００２３】
一実施例では、第２の区画６３４は、組立て中にカテーテル・デバイス６３０を通して針１５０を案内するのを容易にするファンネル６３６を含み、それによって針１５０が、シール１３６を穿刺するのに適切に位置合わせされる。
【００２４】
本明細書に記載されるような実施例は、単独で若しくは互いに組み合わせて利用又は実施することができることが認識されるべきである。本発明について特定の実施例に記載してきたが、本発明はかかる実施例によって限定されるものと解釈されるべきではなく、それよりもむしろ、以下の特許請求の範囲にしたがって解釈されることが認識されるべきである。
【図１】
2019048122.tif 000003
【図２】
2019048122.tif 000004
【図３】
2019048122.tif 000005
【図４】
2019048122.tif 000006
【図５】
2019048122.tif 000007
【図６Ａ】
2019048122.tif 000008
【図６Ｂ】
2019048122.tif 000009